(57)【要約】【課題】顔面、のど、胸元の日光による日焼け除けを、誰でも使えワンタッチで顔に装着、取り外しを可能にすることにある。【解決手段】左右の眼鏡レンズと、レンズ用の左右のリムを智の位置より下を取り払った眼鏡フレームを用意し、顔面、のど、胸元を覆う所定の大きさの布の最上部両端に該眼鏡フレームのテンプルを差し込む筒を横方向に設け、両筒の間は両目が出る位置まで切り下げ、中央の位置にタック又はギャザーで布のふくらみを設け、また、テンプルを差し込む筒の上にゴムを収納する筒を設け、該左右のテンプル用の筒の内側開口部より該フレームのテンプルを差込めば、ワンタッチで顔に装着、取り外しができ、眼鏡レンズを必要としない人が利用でき、又レンズの入った市販のフレームも使用でき、誰にでも使え、尚、左右に収納されたゴムを引き出し耳に掛ければフレーム無しで使用できる。【選択図】図１
2011190544.tif 000002
【特許請求の範囲】
【請求項１】
左右の眼鏡レンズと、レンズ用のリムの智の位置より下を取り払った眼鏡フレームを用意し、顔面及び胸の上部まで覆う所定の大きさの布の上部両端に、該フレームのテンプルを差し込む筒を横方向に設け、該両筒の間は、両目が出る位置まで切り下げ、中央部に横方向にタック又はギャザーを設け、該両筒の内側開口部より該眼鏡フレームの左右のテンプルを差込むことを特徴とする顔面、のど、胸元の日焼け除け。
【請求項２】
前記請求項１に記載の顔面、のど、胸元の日焼け除けにおいて、眼鏡フレームのテンプルを差し込む筒の上にゴムを収納した筒を重ねて設けたことを特徴とする、顔面、のど、胸元の日焼け除け。
【発明の詳細な説明】
【技術分野】
【０００１】
本発明は、左右の眼鏡レンズとレンズ用のリムの智より下を取り外した、眼鏡フレームに所定の大きさの日焼け除けの布を取つけ、顔に装着、取り外しを自在とした顔面及びのど、胸元の日焼け除けに関する。
【背景技術】
【０００２】
車の運転中は、車内に入り込む太陽の朝日、夕日などの光線には逃げ場が無く車内の光線よけでは防ぎきれず、顔のシミの原因にもなり困っている。
【先行技術文献】
【特許文献】
【０００３】
【特許文献１】特開２００７−２７７７８１
【特許文献２】登録実用新案第３１５３４６３号
【発明の概要】
【発明が解決しようとする課題】
【０００４】
車を運転中の太陽の光線による顔や首、胸元の日焼けを防ぐため、眼鏡をかけるように誰にでもワンタッチで日焼けを防ぐ日除けを顔に装着、又取り外しを可能とすることにある。
【課題を解決するための手段】
【０００５】
左右の眼鏡レンズと、レンズ用の左右のリムを智の位置より下を取り払った眼鏡フレームを用意し、顔面及び胸の上部まで覆う所定の大きさの軽く柔らかい布の上部左右端よりそれぞれ横向きに、該フレームのテンプルの丁番よりテンプル先端方向へ少なくても１センチメートル空けた位置から、耳の上部まで長さを横幅とし、布でフレームのテンプルを通す筒を設け、該左右に作られた筒から筒までの布の中央部は該布下向きに両目が出るまで切り下げ鼻の上にあたる部分はギャザー又はタックで布のふくらみを作ると同時に、布上部中央が鼻の上からずり落ちない程度に該布中央部の横幅のたるみを無くす。該左右の筒の直径は市販のメガネフレームのテンプルが挿入可能の寸法とする。
【０００６】
また、テンプルを通す筒に重ねて、左右端の長さが１センチずつ短く、筒の直径が上記テンプル用筒と同一又は細めのゴム用筒を布製で設け、中にすべりの良い細いゴムを輪の状態で通し、ゴムの長さは該筒の両端開口から少し出るくらいの長さにし、筒の両端開口はゴム輪の内側で中央部を又状に止め、ゴムが筒の中へ入り込むのを防ぎ、更に筒の中でゴムを回転可能としゴムを筒から外へ引出しやすくする。
【０００７】
該左右のテンプル用筒のそれぞれ布中心側開口より、眼鏡フレームの左右のテンプル端を先端が他端外側開口に出るまで差し入れ、該布を下に垂らして眼鏡をかけるように顔に装着し、該布中央に設けたタック、又はギャザーの部分を目の下の鼻の上に載せる。縁無し眼鏡、またレンズにリムが付いている眼鏡フレームにも該布を使用することが可能である。又、該ゴム用筒の左右外側開口から出ているゴムをつまみ、筒から引出し左右の耳にかけ、該布上部中心に設けたタック、又はギャザーの部分を両目より下の鼻の上に載せ顔面に装着する。
【発明の効果】
【０００８】
以上のように、レンズと智より下のリムの無い眼鏡フレームに日焼け除け布を取り付けることにより、ワンタッチで顔面に装着でき、眼鏡レンズの必要の無い人が使用でき、日焼け除け布が丁番より１センチ以上先端に取り付けられているので視界をさえぎらず裸眼で外を見ることが出来る。またレンズが必要な人の縁無し眼鏡、リム付レンズ眼鏡、サングラス等どの眼鏡フレームにも使用できるので誰にでも使用でき、視界をさえぎらず、外を見ることが出来る。日焼け除け布はテンプルと密着しているので顔にフィットし耳まで覆い、また鼻の上に当たる部分のタック又はギャザーは鼻の頂点に止まり、口と布との距離が出来呼吸に支障を起こさず、布には固形物が取り付けて無いので肌にはとても優しいものである。さらに、左右のゴム用筒の外側開口より引出したゴムを耳にかけ、上記のように布中央部分を鼻の上に乗せれば、フレーム無しで日焼け除けを顔に装着できる。眼鏡ケースに眼鏡とともに入り、又何度も使えて洗濯も可能である。車、自転車の運転中はもちろん、ウオーキング、屋外活動時に使用出来る。
【図面の簡単な説明】
【０００９】
【図１】左右の眼鏡レンズと、智より下のリムを取り外した眼鏡フレームに、日焼け除け布を取り付けた斜視図。
【発明を実施するための形態】
【００１０】
以上のように、該日焼け除け布の上部左右に眼鏡フレームのテンプルの差込用筒を作ることにより、該布が顔にフィットし、ワンタッチの装着、取り外しが可能となり、フレームから眼鏡レンズとリムを取り払うことでレンズの不必要な人の使用が可能であり、裸眼で見るので視界がすっきり見える。尚、該筒はどのテンプルも挿入できるのでレンズの入った眼鏡にも使用可能である。又、ゴム用の筒を設け、すべりの良いゴムを備えたことによりフレームなしでも日焼け除けとして使用できる。
【実施例】
【００１１】
該眼鏡フレームの左右のテンプルの先端を、該日焼け除け布に作られた上部左右のテンプル用筒の布中央側開口より差し入れ、筒外側開口の外まで出し耳の上部の位置で止め、該フレームを上に該布を下へ垂らし顔に装着し、布中央のタック、又はギャザーの部分を鼻の上に載せる。布中央にたるみを作らないよう両耳の方へ布を引くよう装着すれば、該筒の横幅は丁番よりテンプル先端方向に少なくても１センチメートル以上は空けた寸法になっているので視界をさえぎることは無い。あらかじめ筒にテンプルを通しておけばまさにワンタッチの装着となる。該フレームを利用しないときは、テンプル用の筒に重ねて取り付けた左右のゴム用筒の外側開口より少しはみ出しているゴムを外側へ引出し左右の耳にかけ、布上部中央のタック又はギャザーが作られているところを、目より下の鼻の上に載せれば、ゴムが入った筒は横方向に多少絞られ、日焼け除け布は顔にフィットした装着となる。該布は、何度も使用でき、洗濯も可能であり、小さくたためて眼鏡ケースにも入り持ち運びに便利である。
【産業上の利用可能性】
【００１２】
車、自転車の運転時の日除けだけでなく、行楽、登山、農作業など屋外活動に幅広く利用できるものである。
【符号の説明】
【００１３】
１    日焼け除け布
２    タック又は、ギャザーの部分
３    テンプル用筒
４    ゴム用筒
５    テンプルの差込口
６    テンプルの出口
７    ゴム
８    テンプル
９    ワタリ、リム上部
１０  丁番
１１  パッド
１２  智
【図１】
2011190544.tif 000003